(57)【要約】【課題】運動便利し強度を調整するメリットを実現可能である揺動型運動器具及びその調整方法を提供する。【解決手段】線形変位可能に揺動部位を調整できる揺動型運動器具１００は、ベース２００と、少なくとも１つの枢設点によってベース２００に枢設されるレール３００と、線形変位可能にレール３００に位置制限される揺動椅子４００と、ベース２００とレール３００との間に回転可能に設けられており、レール３００の延長線とベース２００の延長線との角度を変更する揺動ユニット５００と、を備える。揺動型運動器具１００の調整方法は、揺動椅子４００のレール３００における線形変位によって、体の各部位の揺動幅を変更する。これにより、運動器具は、異なる線形位置において、体の各部位のニーズに応じて異なる揺動幅を有する。【選択図】図２
2016150247.tif 000002
【特許請求の範囲】
【請求項１】
少なくとも１つの枢設点によってベースに枢設されるレールと、前記レールの延長線に沿って線形変位するように、前記レールに位置制限される揺動ベッド又は揺動椅子と、を提供する線形変位工程と、
前記レールの延長線と前記ベースの延長線との角度を変更して、前記レールを揺動経路に沿って往復して作動させる揺動工程と、
を含むことを特徴とする揺動型運動器具の調整方法。
【請求項２】
前記線形変位工程では水平駆動部材によって線形変位をし、
前記揺動工程では前記線形変位工程の直後で前記レールを駆動して前記揺動ベッド又は前記揺動椅子を連動させることを特徴とする請求項１に記載の揺動型運動器具の調整方法。
【請求項３】
前記揺動ベッド又は前記揺動椅子を人体に応じて折り曲げて前記人体の横臥又は座りの姿を変更する開閉工程を更に含むことを特徴とする請求項１に記載の揺動型運動器具の調整方法。
【請求項４】
前記開閉工程と前記線形変位工程とは、同期に行われることを特徴とする請求項３に記載の揺動型運動器具の調整方法。
【請求項５】
ベースと、
少なくとも１つの枢設点によって前記ベースに枢設されるレールと、
線形変位可能に前記レールに位置制限される揺動椅子と、
前記ベースと前記レールとの間に設けられており、前記レールの延長線と前記ベースの延長線との角度を変更可能に、前記レールを連動させる揺動ユニットと、
を備えることを特徴とする揺動型運動器具。
【請求項６】
移動部材と、水平駆動部材と、を更に備え、
前記移動部材は、前記揺動椅子に接続されており、前記水平駆動部材により駆動されて変位することを特徴とする請求項５に記載の揺動型運動器具。
【請求項７】
前記水平駆動部材は、モーター及び前記モーターにより駆動されて回転するねじ軸を含み、
前記移動部材は、前記ねじ軸に対応して螺合されるネジ穴を含み、前記モーターによって前記移動部材を前記レールに対して変位可能に前記ねじ軸を駆動することを特徴とする請求項６に記載の揺動型運動器具。
【請求項８】
前記揺動ユニットは、
前記ベースに設けられる回転軸と、
前記回転軸に嵌設される偏心ブロックと、
前記回転軸に嵌設される回転ホイールと、
を含むことを特徴とする請求項５に記載の揺動型運動器具。
【請求項９】
前記ベースに設けられており、前記揺動ユニットを回転させるように駆動する揺動駆動部材を更に備えることを特徴とする請求項８に記載の揺動型運動器具。
【請求項１０】
前記揺動駆動部材は、
モーターと、
前記モーターにより駆動されるプーリーと、
前記プーリー及び前記回転ホイールを接続するベルトと、
を含み、
前記モーターは、前記プーリー、前記ベルト及び前記回転ホイールを駆動して、前記回転軸及び前記偏心ブロックを回転するように連動させることを特徴とする請求項９に記載の揺動型運動器具。
【請求項１１】
前記揺動椅子は、クッション、前記クッションに枢設される背もたれ、前記クッションに枢設されるペダルを含み、前記背もたれ、前記クッション及び前記ペダルは、座椅子形態から寝椅子形態に変更するように制御されることを特徴とする請求項５に記載の揺動型運動器具。
【請求項１２】
前記揺動椅子は、前記背もたれと前記ペダルを駆動して、前記背もたれと前記クッションとの間又は前記クッションと前記ペダルとの間の角度を変更する開閉駆動部材を更に含むことを特徴とする請求項１１に記載の揺動型運動器具。
【請求項１３】
人体が横臥するための揺動型運動器具であって、
ベースと、
少なくとも１つの枢設点によって前記ベースに枢設されるレールと、
線形変位可能に前記レールに位置制限される揺動ベッドと、
前記ベースと前記レールとの間に設けられており、前記レールの延長線と前記ベースの延長線との角度を変更するように、前記レールを連動させる揺動ユニットと、
を備えることを特徴とする揺動型運動器具。
【請求項１４】
移動部材と、水平駆動部材と、を更に備え、前記移動部材が前記揺動ベッドを接続し支持し、前記水平駆動部材により駆動されて前記レールにおいて変位することを特徴とする請求項１３に記載の揺動型運動器具。
【請求項１５】
前記水平駆動部材は、モーター及び前記モーターにより駆動されて回転するねじ軸を含み、前記移動部材は、前記ねじ軸に対応して螺合されるネジ穴を含み、前記モーターによって前記移動部材を前記レールに対して変位させるように前記ねじ軸を駆動することを特徴とする請求項１４に記載の揺動型運動器具。
【請求項１６】
ベースと、
少なくとも１つの枢設点によって前記ベースに枢設されるレールと、
線形変位可能に前記レールに位置制限される揺動ベッド又は揺動椅子と、
一端が前記揺動ベッド又は前記揺動椅子に枢設され、他端が前記ベースに枢設される支持ロッドと、
前記ベースと前記レールとの間に設けられており、前記レールの延長線と前記ベースの延長線との角度を変更するように、前記レールを連動させる揺動ユニットと、
を備えることを特徴とする揺動型運動器具。
【請求項１７】
移動部材と、水平駆動部材と、を更に備え、
前記移動部材は、前記揺動ベッド又は前記揺動椅子を接続かつ支持し、前記水平駆動部材により駆動されて前記レールにおいて変位することを特徴とする請求項１６に記載の揺動型運動器具。
【請求項１８】
前記水平駆動部材は、モーター及び前記モーターにより駆動されて回転するねじ軸を含み、前記移動部材は、前記ねじ軸に対応して螺合されるネジ穴を含み、前記モーターによって前記移動部材を前記レールに対して変位させるように前記ねじ軸を駆動することを特徴とする請求項１７に記載の揺動型運動器具。
【請求項１９】
前記揺動椅子又は前記揺動ベッドは、前記移動部材に枢設されることを特徴とする請求項１８に記載の揺動型運動器具。
【請求項２０】
前記レールは、２つの長溝と２つのマットを更に含み、前記移動部材が各前記長溝内において位置制限されて移動し、各前記マットが各前記長溝内に設けられることを特徴とする請求項１９に記載の揺動型運動器具。
【請求項２１】
前記ベースの下方に設けられる複数のスペーサを更に備えることを特徴とする請求項２０に記載の揺動型運動器具。
【請求項２２】
ベースと、
少なくとも１つの枢設点によって前記ベースに枢設されるレールと、
線形変位可能に前記レールに位置制限される揺動椅子と、
前記ベースと前記レールとの間に設けられており、前記レールの延長線と前記ベースの延長線との角度を変更するように、前記レールを連動させる揺動ユニットと、
前記ベース及び前記レールとの間に設けられ、前記レールの作用により変形して、前記揺動ユニットの衝撃力を低下させる弾性ユニットと、
を備えることを特徴とする揺動型運動器具。
【請求項２３】
前記弾性ユニットは、柱状であることを特徴とする請求項２２に記載の揺動型運動器具。
【請求項２４】
移動部材と、水平駆動部材と、を更に備え、
前記移動部材は、前記揺動椅子を接続かつ支持し、前記水平駆動部材により駆動されて前記レールにおいて変位することを特徴とする請求項２３に記載の揺動型運動器具。
【請求項２５】
前記揺動ユニットは、
前記ベースに設けられる回転軸と、
前記回転軸に嵌設される偏心ブロックと、
前記回転軸に嵌設される回転ホイールと、
を含むことを特徴とする請求項２４に記載の揺動型運動器具。
【請求項２６】
前記揺動椅子は、クッション、前記クッションの椅子に枢設される背もたれ、前記クッションに枢設されるペダルを含み、
前記背もたれ、前記クッション、及び前記ペダルは、座椅子形態から寝椅子形態に変更するように制御されることを特徴とする請求項２２に記載の揺動型運動器具。
【請求項２７】
前記揺動椅子は、前記背もたれと前記ペダルを駆動して、前記背もたれと前記クッションとの間又は前記クッションと前記ペダルとの間の角度を変更する開閉駆動部材を更に含むことを特徴とする請求項２６に記載の揺動型運動器具。
【請求項２８】
前記ベースの下方に設けられている複数のスペーサを更に備えることを特徴とする請求項２２に記載の揺動型運動器具。
【発明の詳細な説明】
【技術分野】
【０００１】
本発明は、運動器具に関し、特に、揺動機能のある運動器具及びその調整方法に関する。
【背景技術】
【０００２】
養生及び健康観念の普及につれて、現代人は、ますます運動を重視するようになり、血液循環増加、新陳代謝改善、健康促進のために、ジョッギング、サイクリング、球技等の屋外運動に加え、フィットネスセンターで筋力トレーニングをするようになっている。しかしながら、体の耐えうる運動強度も、体の健康状況も人によって異なるため、フィットネス機器の使用が限られている。そのため、ある業者により、誰でも容易に使用でき、運動の困難度を低下させた簡易な振動運動装置が開発される。
【０００３】
従来の振動運動装置は、プラットホームと、少なくとも１つの揺動ユニットと、を含み、揺動ユニットによりプラットホームが上下振動するように連動される。人がプラットホームに立つ場合、体がプラットホームと共に揺動するので、全身の筋肉が振動するように連動され、運動効果が達成される。このような運動では、複雑な作動手順が要らず、装置に立つだけで運動できるため、老人や子供に広く好まれている。
【０００４】
しかしながら、振動運動装置は、依然として制限がある。体の不自由な人や寝たきりの人であれば、立つことができなく、更に振動運動装置に立って運動できなく、他人の協力で一般的且つ簡易な手足のストレッチしかできないため、体の状況がますます弱くなる。
【０００５】
また、同時に眩暈や内耳均衡症候群にかかる老人又は患者が数多くあり、これらの使用者も、自分の頭頸部を長期間に揺動させ振動させることができなく、また振動運動装置に立って運動できない別の群となる。
【発明の概要】
【発明が解決しようとする課題】
【０００６】
上記状況を改善するために、本発明の目的は、鋭意研究して、使用者の座り・横臥の状態に応じて調整され、運動器具の異なる位置の揺動幅が変更可能であり、運動便利し強度を調整するメリットを実現可能である揺動型運動器具及びその調整方法を提供することにある。
【課題を解決するための手段】
【０００７】
本発明の一実施態様は、少なくとも１つの枢設点によってベースに枢設されるレールと、レールの延長線に沿って線形変位するように、レールに位置制限される揺動ベッド又は揺動椅子と、を提供する線形変位工程と、レールの延長線とベースの延長線との角度を変更して、レールを揺動経路に沿って往復して作動させる揺動工程と、を含む揺動型運動器具の調整方法を提供することにある。
【０００８】
これにより、揺動型運動器具の揺動ベッド又は揺動椅子の水平線における位置がベースに対して変わるが、ベースにおけるレールの枢設点の位置が固定されるため、揺動ベッド又は揺動椅子が移動中に各部位と枢設点との間の力腕の長さが変わる。レールが揺動ユニットにより連動されて揺動する場合、同一の部位が異なる位置において異なる揺動幅を有し、異なる部位の揺動強度に対する制御調整の機能が更に実現される。
【０００９】
前記の揺動型運動器具の調整方法によれば、線形変位工程では水平駆動部材により線形変位をしてから、揺動工程ではその直後でレールを駆動して揺動ベッド又は揺動椅子を連動させる。また、前記調整方法は、揺動ベッド又は揺動椅子を人体に応じて折り曲げて人体の横臥又は座りの姿を変更する開閉工程を更に含む。開閉工程と線形変位工程とは、同期的に行われる。上記の工程により、使用者がニーズに応じて体の状況又は好みに従って揺動ベッド又は揺動椅子の位置及び座り・横臥の角度を調整してから揺動運動をし、使用の柔軟性を向上させ、また、位置の調整中に座り・横臥の姿を変更することができ、簡易で快速な操作が実現される。
【００１０】
本発明の別の実施態様の一実施形態は、ベースと、少なくとも１つの枢設点によってベースに枢設されるレールと、線形変位可能にレールに位置制限される揺動椅子と、ベースとレールとの間に設けられており、レールの延長線とベースの延長線との角度を変更するように、レールを連動させる揺動ユニットと、を備える揺動型運動器具を提供することにある。
【００１１】
これにより、揺動型運動器具の揺動椅子の水平線における位置がベースに対して変わる。揺動椅子が異なる位置にある場合、各部位とベースにおけるレールの枢設点との間の力腕の長さが変わるため、レールが揺動ユニットにより連動されて揺動する場合、同じ部位が異なる位置において異なる揺動幅を生じ、更に揺動強度に対する調整機能が実現される。
【００１２】
前記の揺動型運動器具によれば、移動部材と、水平駆動部材と、を更に備えてもよく、当該移動部材が揺動椅子に接続されており、水平駆動部材により駆動されて変位する。水平駆動部材は、モーター及びモーターにより駆動されて回転するねじ軸を含み、移動部材は、ねじ軸に対して螺合されるネジ穴を含み、モーターによって移動部材をレールに対して変位させるようにねじ軸を駆動する。揺動ユニットは、ベースに設けられる回転軸と、回転軸に嵌設される偏心ブロックと、回転軸に嵌設される回転ホイールと、を含む。
【００１３】
前記の揺動型運動器具によれば、ベースに設けられており、揺動ユニットを回転させるように駆動する揺動駆動部材を更に備え、揺動駆動部材は、モーターと、モーターにより駆動されるプーリーと、プーリー及び回転ホイールを接続するベルトと、を含んでもよく、モーターは、プーリー、ベルト及び回転ホイールを駆動して回転軸及び偏心ブロックを回転するように連動させる。上記の水平駆動部材により、揺動椅子が水平方向の変位を生じることができ、また上記の揺動駆動部材により、揺動ユニットがレールに当接されて揺動椅子に揺動運動をさせ、これらの機構の互いの組合により、本発明の目的が達成される。
【００１４】
前記の揺動型運動器具によれば、揺動椅子は、クッション、クッションに枢設される背もたれ、クッションに枢設されるペダル及び開閉駆動部材を含む。背もたれ及びペダルは、開閉駆動部材により駆動されて、背もたれとクッションとの間又はクッションとペダルとの間の角度を変更して、座椅子形態から寝椅子形態に変更する。上記の開閉駆動部材及び揺動椅子の構造により、揺動椅子の形態が使用者のニーズに応じて例えば座り姿を横臥姿にするように変更でき、不自由な者でも座り又は横になり揺動運動をすることができる。
【００１５】
本発明の別の実施態様の別の実施形態は、ベースと、少なくとも１つの枢設点によってベースに枢設されるレールと、線形変位可能にレールに位置制限される揺動ベッドと、ベースとレールとの間に設けられており、レールの延長線とベースの延長線との角度を変更するように、レールを連動させる揺動ユニットと、を備える揺動型運動器具を提供することにある。
【００１６】
これにより、揺動ベッドの水平線における位置がベースに対して変わる。揺動ベッドが異なる位置にある場合、各部位とベースにおけるレールの枢設点との間の力腕の長さが変わるため、レールが揺動ユニットにより連動されて揺動する場合、同じ部位が異なる位置において異なる揺動幅を生じ、更に揺動強度に対する調整機能が実現される。使用者は、横臥して揺動する過程中に、強い揺動効果を必要とする部位を選択できる。
【００１７】
前記の揺動運動ベッドによれば、移動部材と、水平駆動部材と、を更に備えてもよく、当該移動部材が揺動椅子に接続され、水平駆動部材により駆動されて変位する。水平駆動部材は、モーター及びモーターにより駆動されて回転するねじ軸を含み、移動部材は、ねじ軸に対応して螺合されるネジ穴を含み、モーターによって移動部材をレールに対して変位させるようにねじ軸を駆動する。上記の水平駆動部材により、揺動ベッドが水平方向の変位を生じることができ、また上記の揺動駆動部材により、揺動ユニットがレールに当接されて揺動ベッドに揺動運動をさせ、これらの機構の互いの組合により、本発明の目的が達成される。
【００１８】
本発明の別の実施態様の更に他の実施形態は、ベースと、少なくとも１つの枢設点によってベースに枢設されるレールと、線形変位可能にレールに位置制限される揺動ベッド又は揺動椅子と、一端が揺動ベッド又は揺動椅子に枢設され、他端がベースに枢設される支持ロッドと、ベースとレールとの間に設けられており、レールの延長線とベースの延長線との角度を変更するように、レールを連動させる揺動ユニットと、を備える揺動型運動器具を提供することにある。
【００１９】
これにより、揺動ベッド又は揺動椅子の水平線における位置がベースに対して変わる。且つ支持ロッドと揺動ベッド又は揺動椅子との間の角度或いは支持ロッドとベースとの間の角度も変わり、揺動ベッド又は揺動椅子が異なる位置にある場合、各部位とベースにおけるレールの枢設点との間の力腕の長さが変わるため、レールが揺動ユニットにより連動されて揺動する場合、同じ部位が異なる位置において異なる揺動幅を生じ、更に揺動強度に対する調整機能が実現され、且つこのような複数の枢設点の方式により、揺動幅が揺動ベッド又は揺動椅子の各部位に対して更なる多様な変化し、且つ異なる揺動モードを増加させて、使用者が座り又は横になり揺動する過程中に、異なる揺動動作を選択でき、上記の他の実施態様又は他の実施形態も同じ機能効果を有する。
【００２０】
前記の揺動型運動器具によれば、移動部材と、水平駆動部材と、を更に備えてもよく、当該移動部材が揺動ベッド又は揺動椅子を接続し、水平駆動部材により駆動されて変位する。水平駆動部材は、モーター及びモーターにより駆動されて回転するねじ軸を含み、移動部材は、ねじ軸に対して螺合されるネジ穴を含み、モーターによって移動部材をレールに対して変位させるようにねじ軸を駆動する。揺動椅子又はベッドが移動部材に枢設されて、揺動ベッド又は揺動椅子がレールに対する角度が変わる。レールは、２つの長溝と２つのマットを更に含み、移動部材が長溝内で位置制限されて移動し、マットが長溝内に設けられ、また、前記の揺動型運動器具がベースの下方に設けられる複数のスペーサを更に備える。上記の水平駆動部材により揺動ベッド又は揺動椅子に水平方向の変位をさせ、また上記の揺動駆動部材により揺動ユニットがレールに当接されて揺動ベッド又は揺動椅子に揺動運動をさせ、マットの使用により揺動ベッド又は揺動椅子の変位中の音を減少させ、最後、また枢設点を増える方式により、揺動幅に一層多くの変化をさせる。
【００２１】
本発明の別の実施態様の更に他の実施形態は、ベースと、少なくとも１つの枢設点によってベースに枢設されるレールと、線形変位可能にレールに位置制限される揺動椅子と、ベースとレールとの間に設けられており、レールの延長線とベースの延長線との角度を変更するように、レールを作動させる揺動ユニットと、ベース及びレールとの間に設けられ、レールの作用により変形して、揺動ユニットの衝撃力を低下させる弾性ユニットと、を備える揺動型運動器具を提供することにある。
【００２２】
前記の揺動型運動器具によれば、移動部材と、水平駆動部材と、を更に備え、当該移動部材が揺動椅子を接続し支持し、水平駆動部材により駆動されると、レールにおいて変位する。揺動ユニットは、ベースに設けられる回転軸と、回転軸に嵌設される偏心ブロックと、回転軸に嵌設される回転ホイールを含む。弾性ユニットは、柱状である。
【００２３】
前記の揺動型運動器具によれば、揺動椅子は、クッション、クッションに枢設される背もたれ、クッションに枢設されるペダルを含み、背もたれ、クッション及びペダルは、座椅子形態から寝椅子形態に変更するように制御される。揺動椅子は、背もたれとペダルを駆動して、背もたれとクッションとの間又はクッションとペダルとの間の角度を変更する開閉駆動部材を更に含む。また、前記の揺動型運動器具は、ベースの下方に設けられる複数のスペーサを更に備える。
【図面の簡単な説明】
【００２４】
【図１】本発明の一実施形態に係る揺動型運動器具を示す斜視模式図である。
【図２】図１に示す揺動型運動器具を示す分解模式図である。
【図３】図２に示すレールとベースを示す分解模式図である。
【図４】図１に示すレールとベースとの角度を示す断面模式図である。
【図５】図１に示すレールとベースとの別の角度を示す断面模式図である。
【図６】図１に示すレールと移動部材がある位置にある模式図である。
【図７】図１に示すレールと移動部材が別の位置にある模式図である。
【図８】図１に示す揺動型運動器具の座椅子形態を示す側面模式図である。
【図９】図１に示す揺動型運動器具の寝椅子形態を示す側面模式図である。
【図１０】本発明の別の実施形態に係る揺動型運動器具を示す側面模式図である。
【図１１】本発明の更に他の実施形態に係る揺動型運動器具を示す側面模式図である。
【図１２】図１１に示すレールを示す分解模式図である。
【図１３】図１１に示す揺動型運動器具の寝椅子形態を示す側面模式図である。
【図１４】本発明の更に１つの実施形態に係る揺動型運動器具を示す分解模式図である。
【図１５Ａ】図１４に示すレール、ベース及び弾性ユニットのある使用状態を示す模式図である。
【図１５Ｂ】図１４に示すレール、ベース及び弾性ユニットの別の使用状態を示す模式図である。
【図１６】本発明のまた１つの実施形態に係る揺動型運動器具を示す斜視模式図である。
【図１７】本発明の更に１つの実施形態に係る揺動型運動器具のある使用状態を示す側面模式図である。
【図１８】本発明の更に１つの実施形態に係る揺動型運動器具の調整方法を示す工程フロー図である。
【発明を実施するための形態】
【００２５】
図１と図２を参照されたい。図１は、本発明の一実施形態に係る揺動型運動器具１００を示す斜視模式図である。図２は、図１に示す揺動型運動器具１００を示す分解模式図である。揺動型運動器具１００は、ベース２００と、レール３００と、揺動椅子４００と、揺動ユニット５００と、を備える。レール３００が少なくとも１つの枢設点３１０によってベース２００に枢設される。本実施例において、枢設点３１０の数は２つである。揺動椅子４００が線形変位可能にレール３００に位置制限される。揺動ユニット５００は、ベース２００とレール３００との間に設けられており、レール３００の延長線Ｉ１（図４参照）とベース２００の延長線Ｉ２（図４参照）との角度ａ（図４参照）を変更するように、レール３００を連動させる。これにより、揺動椅子４００の水平線における位置がベース２００に対して変わる。揺動椅子４００が異なる位置にある場合、各部位と枢設点３１０との間の力腕の長さが変わるため、レール３００が揺動ユニット５００により連動されて揺動する場合、揺動椅子４００の同じ部位が枢設点３１０に対する位置が異なるため異なる揺動幅を生じ、更に揺動強度に対する調整機能が実現される。
【００２６】
図３を図２に合わせて参照されたい。図３は、図２に示すレール３００とベース２００を示す分解模式図である。揺動型運動器具１００は、レール３００を揺動するように駆動可能な揺動駆動部材２１０を更に含む。レール３００は、２つの枢設点３１０によってベース２００に枢設され、且つ移動部材３２０及び水平駆動部材３３０を有する。移動部材３２０が揺動椅子４００に接続され、水平駆動部材３３０により駆動されると、レール３００に対して水平に移動して、移動部材３２０の枢設点３１０に対する水平距離を変更する。具体的には、揺動ユニット５００は、回転軸５１０、偏心ブロック５２０及び回転ホイール５３０を含み、且つ偏心ブロック５２０及びレール３００が互いに当接する。回転軸５１０がベース２００に回転可能に設けられる。回転ホイール５３０及び偏心ブロック５２０は、回転軸５１０に対して回転せずに回転軸５１０に嵌設され、つまり、回転軸５１０と共に回転するように回転軸５１０に固定される。
【００２７】
揺動駆動部材２１０は、モーター２１１と、モーター２１１により駆動されるプーリー２１２と、ベルト２１３と、を含む。モーター２１１の軸心にモーター回転ホイール２１５及びモーターベルト２１４が設けられる。モーターベルト２１４がプーリー２１２及びモーター回転ホイール２１５に嵌設されて接続される。モーター２１１が回転する場合、モーター回転ホイール２１５、モーターベルト２１４、及びプーリー２１２が駆動されて回転する。もちろん、他の実施例は、上記の開示に制限されなく、プーリー２１２が直接モーター２１１の軸心に嵌設され、モーター回転ホイール２１５とモーターベルト２１４を省略してもよい。ベルト２１３がプーリー２１２と回転ホイール５３０に嵌設されて接続され、プーリー２１２が駆動されて回転する場合、ベルト２１３及び回転ホイール５３０を回転するように連動させるため、回転軸５１０及び偏心ブロック５２０が共に回転するように連動される同時に、レール３００が偏心ブロック５２０に押し当てられて作動する。
【００２８】
図４及び図５を参照されたい。図４は、図１に示すレール３００とベース２００との角度ａを示す断面模式図である。図５は、図１に示すレール３００とベース２００との別の角度ａを示す断面模式図である。偏心ブロック５２０は、異なる径方向距離を有するため、回転する場合にレール３００と回転軸５１０との間の垂直距離が変わって、レール３００とベース２００との間の角度ａが変わる。
【００２９】
他の実施例において、揺動駆動部材２１０は、モーター２１１のみを含むが、揺動ユニット５００は、回転軸５１０及び偏心ブロック５２０を含み、モーター２１１が直接回転軸５１０を駆動して偏心ブロック５２０を回転するように連動させてもよい。揺動駆動部材２１０は、モーター２１１及びモーター２１１の軸心に設けられる第１の歯車を含むが、揺動ユニット５００は、回転軸５１０、第１の歯車に噛み合う第２の歯車、偏心ブロック５２０、を含み、第１の歯車がモーター２１１により駆動されて回転して、第２の歯車を連動して、更に回転軸５１０及び偏心ブロック５２０を回転させてもよい。これらの構造は、上記の開示に制限されなく、当業者であれば容易に置換できるので、ここで詳しく説明しない。
【００３０】
図６及び図７を参照されたい。図６は、図１に示すレール３００と移動部材３２０がある位置にある模式図である。図７は、図１に示すレール３００と移動部材３２０が別の位置にある模式図である。レール３００は、平行する２つの長溝３４０を含む。移動部材３２０は、本体３２１、２つのスライダ３２２及びネジ穴３２３を含む。２つのスライダ３２２が本体３２１と接続する。ネジ穴３２３が本体３２１に設けられる。２つのスライダ３２２は、それぞれ移動可能に２つの長溝３４０内に設けられる。水平駆動部材３３０は、モーター３３１及びねじ軸３３２を含む。モーター３３１がレール３００に固定される。ねじ軸３３２は、一端がネジ穴３２３内に螺合され、他端がレール３００に設けられる。ねじ軸３３２がモーター３３１により駆動されて回転する場合、ねじ軸３３２とネジ穴３２３との間の相対位置も変わるため、移動部材３２０は、駆動されてレール３００に対して水平に変位する。
【００３１】
図８及び図９を参照されたい。図８は、図１に示す揺動型運動器具１００の座椅子形態を示す側面模式図である。図９は、図１に示す揺動型運動器具１００の寝椅子形態を示す側面模式図である。揺動椅子４００は、移動部材３２０に接続されており、クッション４２０、背もたれ４１０、ペダル４３０及び開閉駆動部材４４０を含む。背もたれ４１０がそれぞれ２つの枢設点４１１によってクッション４２０に枢設され、ペダル４３０もそれぞれ２つの枢設点４１２によってクッション４２０に枢設される。開閉駆動部材４４０は、モーター４４１、作動部材４４２、連接ロッドセット４４３を含む。作動部材４４２は、一端がクッション４２０に枢設され、他端が背もたれ４１０に枢設される。連接ロッドセット４４３は、一端がペダル４３０に枢設され、他端が背もたれ４１０に枢設される。モーター４４１により作動部材４４２が駆動されるため、作動部材４４２が伸縮動作をし、背もたれ４１０、連接ロッドセット４４３及びペダル４３０を連動して、背もたれ４１０とクッション４２０との間の角度ｂ又はクッション４２０とペダル４３０との間の角度ｃが変わり、座椅子形態から寝椅子形態に変更する。特に注意すべきなのは、上記の開閉駆動部材４４０の構造が単なる例示であり、他の実施例は、この開示に限定されなく、他の駆動形態を有してもよい。
【００３２】
図１０を参照されたい。図１０は、本発明の別の実施形態に係る揺動型運動器具１１０を示す側面模式図である。本発明の揺動型運動器具１１０は、ベース２００と、レール３００と、揺動ベッド７００と、揺動ユニット５００と、を備える。ベース２００は、レール３００を揺動するように駆動可能な揺動駆動部材２１０を含む。レール３００は、枢設点３１０によってベース２００に枢設されており、移動部材３２０及び水平駆動部材３３０を含む。移動部材３２０が揺動ベッド７００に接続され、水平駆動部材３３０により駆動されて、レール３００に対して水平に移動して、移動部材３２０の枢設点３１０に対する水平距離を変更する。揺動ベッド７００は、人体（未図示）の姿と共に折り曲げることができる。その揺動ユニット５００、揺動駆動部材２１０、水平駆動部材３３０等の素子については、図１〜図９と類似するので、ここで詳しく説明しない。
【００３３】
図１１〜図１３を参照されたい。図１１は、本発明の更に他の実施形態に係る揺動型運動器具１２０を示す側面模式図である。図１２は、図１１に示すレール３００を示す分解模式図である。図１３は、図１１に示す揺動型運動器具１２０の寝椅子形態を示す側面模式図である。本発明の揺動型運動器具１２０は、ベース２００と、レール３００と、揺動椅子４００と、２つの支持ロッド８００と、揺動ユニット５００と、を備える。ベース２００は、レール３００を揺動するように駆動可能な揺動駆動部材２１０を含む。レール３００は、枢設点３１０によってベース２００に枢設されており、２つの長溝３５０及び２つの移動部材３６０を含む。長溝３５０は、揺動椅子４００に向かって開口され、内部に長溝３５０の２つの溝壁にぴったりくっつく長板状となるマット３５１が設けられる。移動部材３６０は、両端が２つのスライダ３６２に接続される本体３６１を有する。２つのスライダ３６２がそれぞれ揺動椅子４００に枢設される。２つのスライダ３６２は、２つの長溝３５０に沿って線形変位できるように、それぞれ２つの長溝３５０内に対応的に設けられる。レール３００は、２つの固定板３５３及び長溝３５０の溝深さよりも高い４つの固定ブロック３５２を更に含む。２つの固定ブロック３５２が長溝３５０の両端に設けられ、別の２つの固定ブロック３５２が別の長溝３５０の両端に設けられる。固定板３５３は、スライダ３６２が上下に長溝３５０と固定板３５３との間に位置制限されるように、固定ブロック３５２を介して長溝３５０に連結される。移動部材３６０のスライダ３６２が水平駆動部材３３０により駆動されて長溝３５０内で移動し、その変位の距離が２つの固定ブロック３５２により制限される。固定板３５３は、スライダ３６２が揺動運動途中で長溝３５０から離れないようにするためのものである。マット３５１は、スライダ３６２がレール３００内で変位する場合に大きすぎな音で耳に不快感を与えないようにするためのものであり、好もしくは吸音ウールである。揺動型運動器具１２０は、ベース２００の下方に設けられる複数のスペーサ２２０を更に含む。スペーサ２２０は、ベース２００と設置面（未図示）との間に発生する振動効果を低減できる。
【００３４】
揺動椅子４００が水平駆動部材３３０により駆動され、レール３００に対して水平に移動して、移動部材３２０の枢設点３１０に対する水平距離が変わる。また、揺動椅子４００が開閉駆動部材４４０により駆動されて人体（未図示）の姿と共に折り曲げることができ、この場合、揺動椅子４００とレール３００との間の角度ｄ、支持ロッド８００と揺動椅子４００との間の角度ｅ又は支持ロッド８００とベース２００との間の角度ｆが変わって、開閉動作がよりスムーズになる。各角度の変化により、異なる位置における異なる部位の揺動幅の変化性が向上する。その揺動ユニット５００、揺動駆動部材２１０、水平駆動部材３３０等の素子については、図１〜図９と類似するので、ここで詳しく説明しない。
【００３５】
図１４を参照されたい。図１４は、本発明の更に１つの実施形態の揺動型運動器具１５０を示す分解模式図である。揺動型運動器具１５０は、ベース２００ｂと、レール３００ｂと、揺動椅子４００と、揺動ユニット５００と、弾性ユニット９３０と、揺動駆動部材２１０と、複数のスペーサ２２０と、を備える。揺動椅子４００、揺動ユニット５００及び揺動駆動部材２１０の構造が上記図１〜図９の記述と類似し、複数のスペーサ２２０の構造が上記図１１〜図１３の記述と類似するので、ここで詳しく説明しない。弾性ユニット９３０は、ベース２００ｂとレール３００ｂとの間に設けられており、レール３００ｂによる衝撃力を減少するように圧迫されて変形することができる。
【００３６】
図１５Ａ及び図１５Ｂを参照されたい。図１５Ａは、図１４に示すレール３００ｂ、ベース２００ｂ及び弾性ユニット９３０のある使用状態を示す模式図である。図１５Ｂは、図１４に示すレール３００ｂ、ベース２００ｂ及び弾性ユニット９３０が別の使用状態にある模式図である。具体的には、揺動ユニット５００の作用で、レール３００ｂが揺動されてベース２００ｂとの間の距離が変わり、図１５Ａ及び図１５Ｂに示すように、弾性ユニット９３０がレール３００ｂの揺動運動により変形する。レール３００ｂが最高点から最低点まで振れる場合、偏心ブロックが重力及び慣性力の作用で瞬間に下方（ベース２００ｂへの方向を指す）に作動しやすいので、揺動椅子４００の下への衝撃力により使用者が不快適になる。そのため、弾性ユニット９３０をレール３００ｂとベース２００ｂとの間に設けることで、一瞬の下への衝撃力を吸収して、使用者の快適感を向上させることができる。
【００３７】
図１５Ａに示すように、弾性ユニット９３０がレール３００ｂに圧縮されて変形し、図１５Ｂに示すように、弾性ユニット９３０がレール３００ｂに伸ばされて変形する。他の実施例において、弾性ユニット９３０が圧縮されるだけで伸長されることはないため、レール３００ｂが最高点に位置する場合、弾性ユニット９３０は、初期高度を維持する。
【００３８】
図１６を参照されたい。図１６は、本発明のまた１つの実施形態に係る揺動型運動器具１３０を示す斜視模式図である。揺動型運動器具１３０は、ハンドル９１０及び椅子カバー９２０を更に備える。ハンドル９１０及び椅子カバー９２０によって、使用者が座り又は横臥になる場合により快適になる。特に注意すべきなのは、上記図１１〜図１６の実施例では、揺動椅子４００を例とするが、揺動椅子４００の代わりに揺動ベッド７００であってもよい。
【００３９】
上記をまとめると、揺動駆動部材の揺動速度の速さは、揺動型運動器具の揺動状況を影響する。前記実施例の説明から、下記内容が判明される。揺動ユニットが偏心的に揺動する場合、揺動型運動器具が揺動するようになり、揺動速度が速いほど、揺動型運動器具が速く揺動し、この時、使用者は、体が高振動速度且つ小振幅で上下に速く震えることが感じる。揺動速度が遅いほど、揺動型運動器具の揺動速度が遅く、この時、使用者は、体の前後揺動及び上下震えを感じやすいため、体が円運動するように穏やかに揺動する気分になる。更に、揺動型運動器具の線形変位可能な機能に合わせて、異なる線形位置における異なる揺動速度により、より多くの感じが与えられるため、異なる使用者は、自分の好みによって揺動形態を選択することができる。
【００４０】
図１７を参照されたい。図１７は、本発明の更に１つの実施形態に係る揺動型運動器具１４０のある使用状態を示す側面模式図である。揺動型運動器具１４０は、既に外装されるので中身の構造が見えなくなるが、その基本構造が上記図１〜図９と類似するので、ここで詳しく説明しない。図１７において、揺動椅子４００ａは、背もたれ４１０ａ、クッション４２０ａ、ペダル４３０ａ及び枕４６０ａを含む。揺動椅子４００ａが開けられて寝椅子状となり、枕４６０ａが使用者Ｐの頭に凭れられるように背もたれ４１０ａに設けられる。枕４６０ａは、人間工学によって使用者Ｐの横臥になる場合の快適感を向上させる以上、更に、使用者Ｐの頭の位置を固定し、頭が揺動震動途中で強く揺動されないようにすることができる。枕４６０ａは、ショック吸収機能を有することが好ましい。揺動椅子４００ａは、それぞれクッション４２０ａの両側に設けられる２つのハンドル９１０ａを更に含む。
【００４１】
使用者Ｐは、横臥になる場合、手をハンドル９１０ａに置き、手及び足の高度が使用者Ｐの心臓の位置よりも高くなる。人が立つ又は座る場合に、血液が手及び足に集中されて血液が心臓に還流しにくいため、使用者Ｐがこの姿で揺動型運動器具１４０に横になる場合、手足と心臓の高度設計に、更に揺動型運動器具１４０の揺動又は振動を合わせて、一層血液が手足から心臓に還流することに寄与し、血液の循環を促進する。
【００４２】
また、背もたれ４１０ａは、複数の気嚢（未図示）及び複数のマッサージャー（未図示）を含んでもよい。気嚢のガスの充填・放出及びマッサージャーの揺動変位によって、背中のマッサージ効果が実現される。クッション４２０ａは、使用者が揺動する場合に足及び臀部のマッサージも受けられるように、複数の気嚢を含んでもよい。上記複数の気嚢は、同時に又は別々にガスを充填・放出することができ、多様かなマッサージ効果が実現される。
【００４３】
図１８を図１〜図９に合わせて参照されたい。図１８は、本発明の更に１つの実施形態に係る揺動型運動器具１００の調整方法を示す工程フロー図である。本発明の揺動型運動器具の調整方法６００は、線形変位工程と、揺動工程と、を含む。線形変位工程において、２つの枢設点３１０によってベース２００に枢設されるレール３００、レール３００に位置制限される揺動ベッド７００又は揺動椅子４００、揺動ベッド７００又は揺動椅子４００をレール３００の延長線に沿って線形変位させるように駆動する水平駆動部材３３０を提供する。揺動工程において、揺動ユニット５００を駆動する揺動駆動部材２１０を提供して、レール３００の延長線とベース２００の延長線との角度ａを変更して、レール３００を揺動経路（未図示）に沿って往復して作動させる。本実施例において、線形変位工程で揺動ベッド７００又は揺動椅子４００を線形変位させて位置制限してから、揺動工程でその直後でレール３００を駆動して揺動ベッド７００又は揺動椅子４００を揺動するように連動させる。また、前記揺動型運動器具の調整方法６００は、開閉工程を含んでもよい。開閉工程では、人体（未図示）に応じて折り曲げて人体の横臥又は座りの姿を変更するように、揺動ベッド７００又は揺動椅子４００を駆動する開閉駆動部材４４０を提供する。この実施例において、線形変位工程、開閉工程、揺動工程の手順で行う。もちろん、他の実施例において、線形位置工程と開閉工程の順序を変更してもよく、例えば、まずは開閉工程、次に線形変位工程、最後に揺動工程の手順で行ってもよく、また、開閉工程と線形変位工程を同時に行ってから、最後に揺動工程を行ってもよく、もちろん、線形変位工程、開閉工程と揺動工程を同時に行ってもよい。
【００４４】
上記実施態様及び実施形態から、本発明が以下のメリットを有することは判明される。
【００４５】
一、運動器具の調整形態によって、使用者は、ニーズに応じて揺動ベッド又は揺動椅子の水平方向における位置を調整して、人体に応じて折り曲げて人体の横臥又は座りの姿を変更して、座り又は横臥になって運動することができ、且つ水平方向位置によって異なる体の異なる部分の揺動程度及び強度を調整することができる。
【００４６】
二、運動器具の線形移動構造の設計によって、揺動ベッド又は揺動椅子の水平方向の位置を変え、各部分と枢設点との間の力腕の変更によって、更に揺動の振幅を変更することができる。人が座り姿で揺動椅子に座って揺動する場合、頭の位置の垂直ラインと枢設点との間の水平距離が小さいほど、この時の力腕が短い、頭の揺動振幅が小さく、使用者の頭の揺動による不快感を減少することができる。しかし、その同時に、体の他の部分の振幅と力腕とが正相関となるため、体の他の部分の運動效果も実現される。また、揺動椅子又は揺動ベッドの水平方向における位置の変更によって、対応する振動の体の部位も変わり、使用者の選択性が一層向上する。
【００４７】
三、また、移動部材がレールとベースの間の枢設点から近くなる場合、レール揺動の振幅が小さいほど、揺動ベッド又は揺動椅子全体の揺動の振幅が小さくなることに対して、移動部材がレールとベースの間の枢設点から遠くなる場合、レール揺動の振幅が大きいほど、揺動ベッド又は揺動椅子全体の揺動の振幅が大きくなり、これにより、揺動運動の強度を制御することができる。
【００４８】
四、揺動椅子が更に枢設によってレールと接続すれば、或いは、揺動椅子がベースと揺動椅子に枢設される支持ロッドを更に含めば、この場合、揺動椅子とレールとの間の角度、支持ロッドと揺動椅子との間の角度又は支持ロッドとベースとの間の角度が変わり、このような複数の枢設点によって、揺動幅が揺動ベッド又は揺動椅子の各部位に対してもっと多様化に変化し、且つ揺動モードが多様になり、例えば、単なる上下揺動又は円弧に近似するように揺動する。開閉、線形変位部材の間の順調度を向上させ、使用者の快適感を向上させることもできる。
【００４９】
五、揺動ベッド又は揺動椅子に更に支持部材を加えると、揺動ベッド又は揺動椅子の開閉をもっとスムーズにし、支持の作用もある。これにより、揺動ベッド又は揺動椅子が揺動中にもっと安定的になる。その同時に、クッションの角度を変えて、クッションと背もたれの角度を体がやや内に凹むような形態になり、更に揺動の動作をもっと多様化にする。
【００５０】
六、マットをレールの長溝内に設けることで、揺動椅子の水平変位をする時の音を減少し、騒音を避けることができる。また、長溝内にマットが設けられる場合、長溝の許し代が大きくされてもよく、更に製造の難度やコストを低下させることができる。
【００５１】
七、揺動椅子の開閉構造の設計によって、揺動椅子を座椅子形態から寝椅子形態にし、又は寝椅子形態から座椅子形態にすることができ、使用上の利便性を向上させる。
【００５２】
八、揺動型運動器具における揺動駆動部材の揺動速度の遅速によって、使用者に多種類の異なる揺動形態を感じさせる。揺動速度が速い場合、体の揺動の振幅が小さいため、使用者に上下振動、全身の震えを感じさせるが、揺動速度が遅い場合、体の揺動の振幅が大きいため、使用者が前後に揺動し、且つ体が円運動するように揺動する気分になる。これにより、異なる運動の感じを与えることができる。
【００５３】
本発明の実施形態を前述の通りに開示したが、これは、本発明を限定するものではなく、当業者であれば、本発明の精神と範囲から逸脱しない限り、多様の変更や修正を加えることができ、したがって、本発明の保護範囲は、後の特許請求の範囲で指定した内容を基準とする。
【符号の説明】
【００５４】
１００、１１０、１２０、１３０、１４０、１５０  揺動型運動器具
２００、２００ｂ  ベース
２１０  揺動駆動部材
２１１、３３１、４４１  モーター
２１２  プーリー
２１３  ベルト
２１４  モーターベルト
２１５  モーター回転ホイール
３００、３００ｂ  レール
３１０  枢設点
３２０  移動部材
３２１  本体
３２２  スライダ
３２３  ネジ穴
３３０  水平駆動部材
３３２  ねじ軸、
３４０、３５０  長溝
３５１  マット
３５２  固定ブロック
３５３  固定板
３６０  移動部材
３６１  本体
３６２  スライダ
４００、４００ａ  揺動椅子
４１０、４１０ａ  背もたれ
４１１、４１２  枢設点
４２０、４２０ａ  クッション
４３０、４３０ａ  ペダル
４４０  開閉駆動部材
４４２  作動部材
４４３  連接ロッドセット
５００  揺動ユニット
５１０  回転軸
５２０  偏心ブロック
５３０  回転ホイール
６００  揺動型運動器具調整方法
７００  揺動ベッド
８００  支持ロッド
９１０、９１０ａ  ハンドル
９２０  椅子カバー
９３０  弾性ユニット
ａ、ｂ、ｃ、ｄ、ｅ、ｆ  角度
Ｐ  使用者
【図１】
2016150247.tif 000003
【図２】
2016150247.tif 000004
【図３】
2016150247.tif 000005
【図４】
2016150247.tif 000006
【図５】
2016150247.tif 000007
【図６】
2016150247.tif 000008
【図７】
2016150247.tif 000009
【図８】
2016150247.tif 000010
【図９】
2016150247.tif 000011
【図１０】
2016150247.tif 000012
【図１１】
2016150247.tif 000013
【図１２】
2016150247.tif 000014
【図１３】
2016150247.tif 000015
【図１４】
2016150247.tif 000016
【図１５Ａ】
2016150247.tif 000017
【図１５Ｂ】
2016150247.tif 000018
【図１６】
2016150247.tif 000019
【図１７】
2016150247.tif 000020
【図１８】
2016150247.tif 000021